【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
出力装置に対して出力指示を行う指示手段と、
前記出力装置との間で通信される無線通信プロトコルに従う通知に従い、当該通知から特定される前記出力装置との距離と、該距離における時間情報と、を前記出力指示に応じて監視する監視手段と、
前記監視の結果に従い、前記出力指示の必要性に関するメッセージの表示を行う表示制御手段と、
を有することを特徴とする端末。
【請求項２】
前記端末は、前記出力指示に応じて、前記出力装置から、前記無線通信プロトコルに従う通知に含まれる出力装置に対応する識別情報を受信する受信手段をさらに有し、
前記監視手段は、前記無線プロトコルに従う該受信した識別情報を含む通知についての監視を行うことを特徴とする請求項１に記載の端末。
【請求項３】
前記表示制御手段は、前記監視の結果、前記距離が規定値を満たすことなく、前記出力指示を行ってから所定時間が経過した場合に、前記メッセージの表示を行うことを特徴とする請求項１又は２に記載の端末。
【請求項４】
自装置からの要求に応じて出力装置に対応する識別情報を取得する取得手段と、
前記出力装置との間で通信される無線通信プロトコルに従い繰り返し発信されてくる通知を受信する受信手段と、
前記無線通信プロトコルに従う前記取得した識別情報を含む通知に従い、当該通知から特定される前記出力装置との距離が、第１の距離、該第１の距離より遠い第２の距離、該第２の距離よりもさらに遠い  第３の距離のなかのいずれかであるかの判定を行う判定手段と、
前記判定に従い、前記出力装置との距離が遠ざかっているかを判断する判断手段と、
前記出力装置との距離が遠ざかっていると判断されたことに応じて、前記出力装置での出力の必要性に関するメッセージの表示を行う表示制御手段と、
を有することを特徴とする端末。
【請求項５】
前記出力装置には、空気調和設備、及び画像出力装置の少なくともいずれかが含まれることを特徴とする請求項１乃至４のいずれか１項に記載の端末。
【請求項６】
前記メッセージは、出力を忘れていないか、または、出力の継続が必要であるかを示す内容であることを特徴とする請求項１乃至５のいずれか１項に記載の端末。
【請求項７】
前記無線通信プロトコルに従う通知は、Ｂｌｕｅｔｏｏｔｈの通信によるＢｅａｃｏｎであることを特徴とする請求項１乃至６のいずれか１項に記載の端末。
【請求項８】
端末と、該端末との間で通信される無線通信プロトコルに従う、ＵＵＩＤとメジャー値とマイナー値とを含む通知の発信を繰り返し行う機能を有する出力装置を含む出力システムであって、
前記端末は、
出力装置に対する出力指示を行う指示手段と、
前記出力装置に対応する識別情報を受信する受信手段と、
前記無線通信プロトコルに従う前記受信した識別情報をＵＵＩＤとして含む通知に従い、当該通知から特定される前記出力装置との距離と、該距離における時間情報と、を前記出力指示に応じて監視する監視手段と、
前記監視の結果に従い、前記出力指示への必要性に関するメッセージの表示を行う表示制御手段と、を有することを特徴とする出力システム。
【請求項９】
前記出力装置には、空気調和設備、及び画像出力装置の少なくともいずれかが含まれることを特徴とする請求項８に記載の出力システム。
【請求項１０】
前記出力指示の必要性に関するメッセージは、出力指示を忘れていないか、または、出力の継続が必要であるかを示す内容であることを特徴とする請求項８または９に記載の出力システム。
【請求項１１】
前記無線通信プロトコルに従う通知は、Ｂｌｕｅｔｏｏｔｈの通信によるＢｅａｃｏｎであることを特徴とする請求項８乃至１１のいずれか１項に記載の出力システム。
【請求項１２】
出力装置と、無線通信プロトコルに従う、自装置に対応するＵＵＩＤとメジャー値とマイナー値とを含む通知の発信を繰り返し行う機能を有する発信装置と、を含む出力システムであって、
前記出力装置は、
受信した出力指示に従って出力を行う出力手段と、
前記出力指示に対応する前記発信装置の識別情報を取得する取得手段と、
前記無線通信プロトコルに従う前記取得した識別情報をＵＵＩＤとして含む通知に従い、当該通知から特定される前記発信装置との距離と、該距離における時間情報と、を監視する監視手段と、
前記監視の結果に従い、前記出力指示の必要性に関するメッセージを通知する通知手段と、を有することを特徴とする出力システム。
【請求項１３】
前記通知手段は、前記メッセージを前記出力指示の出力元に通知する、又は、前記出力指示に対応する宛先に前記メッセージをメールで通知することを特徴とする請求項１２に記載の出力システム。 
【請求項１４】
前記出力指示の出力元と前記発信装置とが同一の装置であることを特徴とする請求項１２又は１３に記載の出力システム。
【請求項１５】
前記通知手段は、前記監視の結果、前記距離が規定値を満たすことなく、前記出力を行ってから所定時間が経過した場合に、前記メッセージの通知を行うことを特徴とする請求項１２乃至１４のいずれか１項に記載の出力システム。
【請求項１６】
前記出力装置には、空気調和設備、及び画像出力装置の少なくともいずれかが含まれることを特徴とする請求項１２乃至１５のいずれか１項に記載の出力システム。
【請求項１７】
端末における制御方法であって、
出力装置に対して出力指示を行うステップと、
前記出力装置との間で通信される無線通信プロトコルに従う通知に従い、当該通知から特定される前記出力装置との距離と、該距離における時間情報とを前記出力指示に応じて監視するステップと、
前記監視の結果に従い、前記出力指示の必要性に関するメッセージの表示を行うステップと、
を有することを特徴とする制御方法。
【請求項１８】
端末と、該端末との間で通信される無線通信プロトコルに従う、ＵＵＩＤとメジャー値とマイナー値とを含む通知の発信を繰り返し行う機能を有する出力装置を含む出力システムにおける制御方法であって、
前記端末は、
出力装置に対する出力指示を行うステップと、
前記出力装置に対応する識別情報を受信するステップと、
前記無線通信プロトコルに従う前記受信した識別情報をＵＵＩＤとして含む通知に従い、当該通知から特定される前記出力装置との距離と、該距離における時間情報と、を前記出力指示に応じて監視するステップと、
前記監視の結果に従い、前記出力指示への必要性に関するメッセージの表示を行うステップと、を実行することを特徴とする制御方法。
【請求項１９】
出力装置と、無線通信プロトコルに従う、自装置に対応するＵＵＩＤとメジャー値とマイナー値とを含む通知の発信を繰り返し行う機能を有する発信装置と、を含む出力システムにおける制御方法であって、
前記出力装置は、
受信した出力指示に従って出力を行うステップと、
前記出力指示に対応する前記発信装置の識別情報を取得するステップと、
前記無線通信プロトコルに従う前記取得した識別情報をＵＵＩＤとして含む通知に従い、当該通知から特定される前記発信装置との距離と、該距離における時間情報と、を監視するステップと、
前記監視の結果に従い、前記出力指示の必要性に関するメッセージを通知するステップと、を実行することを特徴とする制御方法。
【請求項２０】
請求項１乃至７に記載の各手段としてコンピューターを機能させるためのプログラム。
【手続補正２】
【補正対象書類名】明細書
【補正対象項目名】００１１
【補正方法】変更
【補正の内容】
【００１１】
本発明は、出力装置に対して出力指示を行う指示手段と、前記出力装置との間で通信される無線通信プロトコルに従う通知に従い、当該通知から特定される前記出力装置との距離と、該距離における時間情報と、を前記出力指示に応じて監視する監視手段と、前記監視の結果に従い、前記出力指示の必要性に関するメッセージの表示を行う表示制御手段と、を有することを特徴とする。